(57)【特許請求の範囲】
【請求項１】
液体通過用に下端（３）に下部開口（４）および上端に上部開口（６）を有する細長い小管形状を有するピペットチップであり、
上部開口（６）に隣接する内周部に座部領域（３０）を有し、
前記座部領域は、ピペット装置（３１）の規格化された円錐取付け部分（３７）に接続するために利用され、
前記座部領域（３０）は、内側に向けて放射状に突き出ている軸方向に伸びる第１リブ（１２）を備えた保持領域（１１）を有し、
前記保持領域（１１）の下方で、封止領域（１９）が、取付け部分（３７）上でピペットチップ（１）の保持および封止を確保する接続力によって座部領域（３０）にピペットチップ（１）が接続されるとき、第１リブ（１２）が部分的に可塑変形し、かつ、当該弾性変形が、第１リブ（１２）の外側の座部領域（３０）で生じるように構成されているピペットチップ。
【請求項２】
請求項１に記載のピペットチップにおいて、
前記第１リブ（１２）が、円周上に均等に分布されているピペットチップ。
【請求項３】
請求項１また２に記載のピペットチップにおいて、
３〜１２個の第１リブ（１２）を有するピペットチップ。
【請求項４】
請求項１から３のいずれかに記載のピペットチップにおいて、
前記取付け部分（３７）でピペットチップ（１）の保持および封止を確保するための接続力によって、当該取付け部分（３７）にピペットチップ（１）が接続されたとき、第１リブ（１２）は、取付け部分（３７）が占める位置に応じて規格化された円錐取付け部分（３７）と重なり合う外形を有し、
当該外形は、少なくとも０.１ｍｍである
ことを特徴とするピペットチップ。
【請求項５】
請求項１から４のいずれかに記載のピペットチップにおいて、
上部開口（６）に隣接し、当該上部開口の内側で内向き放射状に突き出ており、軸方向に伸びる第２リブ（１３）を有し、
当該第２リブ（１３）が、第１リブ（１２）よりも内向き軸方向に小さく伸び、２個の第１リブ（１２）の間ごとに配置されているピペットチップ。
【請求項６】
請求項５に記載のピペットチップにおいて、
取付け部分（３７）でピペットチップ（１）の保持および封止を確保するための接続する力によって当該取付け部分（３７）にピペットチップ（１）を接続したとき、前記第２リブ（１３）が、変形しない必要な大きさに構成されているピペットチップ。
【請求項７】
請求項５または６に記載のピペットチップにおいて、
第１リブ（１２）および／または第２リブ（１３）が、内向き放射状に先細りの輪郭を有するように構成されているピペットチップ。
【請求項８】
請求項７に記載のピペットチップにおいて、
第１リブ（１２）および／または第２リブ（１３）が、三角形、台形または放物線状の輪郭を有するように構成されているピペットチップ。
【請求項９】
請求項５から８のいずれかに記載のピペットチップにおいて、
ピペットチップは、外周に溝彫り（２８）を有し、当該溝彫り（２８）は、第１リブ（１２）および／または第２リブ（１３）に重なるように構成されているピペットチップ。
【請求項１０】
請求項１から９のいずれかに記載のピペットチップにおいて、
前記ピペットチップは、前記第１リブ（１２）が配置される領域および／または封止領域（１９）において上部開口に向けて円錐形に拡張するように構成されているピペットチップ。
【請求項１１】
請求項１から１０のいずれかに記載のピペットチップにおいて、
前記封止領域（１９）で環状に内向きに突き出ている封止ノーズ（２０）を有するように構成されているピペットチップ。
【請求項１２】
請求項１から１１のいずれかに記載のピペットチップにおいて、
前記保持領域（１１）の壁の厚みは、封止領域（１９）の壁の厚みより大きくなるように構成されているピペットチップ。
【請求項１３】
請求項１から１２のいずれかに記載のピペットチップにおいて、
前記ピペットチップは、規格化された円錐取付け部分（３７）での差し込み接続を制限する手段を有し、
当該接続力が、取付け部分（３７）でピペットチップ（１）の保持、封止および第１リブ（１２）の部分的に可塑的な変形を確実に達成させるとき、当該制限する手段は、取付け部分（３７）で差し込み接続を停止するように構成されているピペットチップ。
【請求項１４】
請求項１３に記載のピペットチップにおいて、
接続領域を制限する手段（２９）は、下方の封止領域（１９）から上部開口に向けて円錐形に広がる制動領域（２９）である
ことを特徴とするピペットチップ。
【請求項１５】
請求項１から１４のいずれかに記載のピペットチップにおいて、
前記ピペットチップは、プラスチック材料で作成されており、ポリオレフィン、ポリプロピレンおよびポリエチレンのいずれかで構成されているピペットチップ。
【発明の詳細な説明】
【技術分野】
【０００１】
本発明は、ピペットチップに関する。
【背景技術】
【０００２】
ピペットチップは、ピペットおよび他の計量装置とともに液体を測定するために用いられる。以下において、ピペットおよび計量装置は、「ピペット装置」として要約される。ピペットチップは細長い管状体を備えている。当該ピペットチップの下端に液体をピペットで移す開口およびピペット装置の取付け部分に接続されるための上部接続用の開口を有する。標準的な接続構造を有する規格化された円錐取付け部分は、公知である。それは、多くの製造業者によって一様に利用されており、かつ、円錐取付け部分の特定の平均直径および特定の円錐角度によってピペットチップごとに特徴付けられている。
【０００３】
ピペット装置は、ガス排除要素を備えている。当該ガス排出要素は、軸方向に移動可能なシリンダを有するピストンである。ガス排除要素は、取付け部分の管孔に連通している。ピペットチップは、その上部開口にピペットの取付け部分を押圧することによって、取付け部分に密封固定される。
【０００４】
取付け部分に着座しているピペットチップに液体を吸い込むまたはピペットチップから液体を放出するために、気柱は、ガス排出要素によって同様に変位される。気柱がピペットチップから遠ざけられるとき、一定量の液体が下部開口を通してピペットチップに吸い込まれる。ピペットチップに向けて気柱を移動することによって、ある量の液体が下部開口を通してピペットチップから放出される。
【０００５】
大部分のピペット装置は、エジェクタを備えている。取付け部分からエジェクタを押して取り外すためにピペットチップの上端に力が作用する。このとき、取付け部分からピペットチップを取り外すために、ユーザは、汚染されたピペットチップへの接触から回避される。
【０００６】
ピペット装置は、ユーザの手のみで保持および操作可能な手動式ピペットである。ピペット装置は、計測ステーションでもありまたはワークステーションに内蔵されることもあり得る。全てのケースにおいて、ガス排除要素は、手動またはモータによって作動させることができる。ピペットチップの接続および取り外しは、手動またはモータによっても行うことが可能である。
【０００７】
誤ったピペットの取り扱い動作を回避するために、ピペットチップは、取付け部分に密封して取り付けられなければならない。さらに、取付け部分へのピペットチップの接続および取付け部分から取り外すための力は、あまり高くてはならない。従来のピペットチップにおいて、ピペットチップと円錐取付け部分間の接触領域は、円錐台のようになっている。ピペットチップを接続するとき、ピペットチップは、取付け部分によってその円周で弾性的に拡大される。バネ特性は急勾配であるので、高い接続力を利用しなければならない。接続後に、それに応じて高い静止摩擦が取付け部分とピペットチップの間に作用する。ピペットチップが取り外されるとき、この静止摩擦は克服されなければならない。ピペットチップを接続または取り外すための高い力による負担が、ユーザにかけられる。接続および取り外しがモータ駆動部によって行われる限り、これらは、それに応じて強力でなければならないし、高いエネルギー消費を必要とする。
【０００８】
文献ＵＳ ６，１９７，２５９Ｂ１は、６ポンドおよび３ポンド（２６．７Ｎおよび１３．３Ｎ）の軸方向の小さなそれぞれの力でピペット取付け部分へのマウントおよび取り外しを容易かつ確実に可能とするピペットチップを記載している。ピペットチップは、管状ピペット部分を有する。当該管状ピペット部分は、ピペットチップが塞がれるピペット取付け部分の直径よりも大きな内径をその上部に有する円錐上部を有する。さらに、ピペットチップは、上端部と中央部の間の接続に中空中央部分と環状封止領域を有する。取付け部分にピペットチップが挿入されたとき、環状封止領域は、外向き放射状に拡大されるように、値「ｘ」よりも小さい内径を有し、取付け部分の封止ゾーンの下端に係合するように設計されている。それによって、取付け部分の封止ゾーンとピペットチップの封止領域の間に液体不浸透性シーリングが生じる。さらに、ピペットチップは、封止領域の隣に横方向安定化手段を有する。当該横方向安定化手段は、取付け部分にピペットチップを安定させるために、取付け部分の外面と係合する。少なくとも３つの接点を有するこれら横方向安定化手段は、円周方向に間隔を置かれており、ピペットチップの内面から内向きに伸びている。接点の直径は、取付け部分の自由端と容易に係合するとともに、取付け部分が、接点の配置部分でピペットチップの側面を拡張することなく取付け部分に沿ってスライド可能にする必要な大きさにされる。壁によって液体がはぎ取られるように、横向き外側への力が、ピペットチップに作用したとき、ピペットチップが横に移動するのを防止するために、接点は、取付け部分でピペットチップの横方向の支持をもたらす。取付け部分の封止ゾーンの下端が、ピペットチップの封止領域に係合するとき、ピペットチップは、封止領域で拡大し、直ちに当該封止ゾーンの下端で隣接する。接点が、取付け部分の先端を案内し、取付け部分に安定かつ安全に配置するとき、接点を支持するピペットチップの側壁は、内向きに変形して拡張されない。これによって、最小限の力のみが、挿入時に取付け部分に及ばされる。
【０００９】
文献ＵＳ ７，３３９，３７３Ｂ１は、人間工学的に設計されたピペットチップを記載している。当該ピペットチップは、ピペットにシャフトに安全に接続することができ、さらに、接続および取り外しに費やされる軸方向の力が、同時に大幅に減少させられる。人間工学的なピペットチップには、射出成形で作られる薄い拡張間隙が具備されている。ピペットシャフトが、ピペットチップの封止領域に挿入されるとき、曲げバネ原理によってピペットチップの上端を拡大するのに必要な力を減らすために、当該拡張部分は、両側に分厚い壁部分および／または第２の弾性体が接している。さらに、ピペットチップは、その内側に１個あるいは複数個の突起を有する。当該突起は、ストッパとしてピペットチップにピペットシャフトを入れる差込み口の深さを制限することを目的とする。
【００１０】
文献は、細長い管状体でプラスチックのピペットチップを記載している。当該ピペットチップは、下端にピペットで取り込む開口を有し、上端にピペット装置の固定軸に接続するための差込み開口を有する。上端近くに、ピペットチップは、閉曲線に沿って循環し、異なる円周位置で下端から異なる距離に第１帯を有する。循環帯は、内側に接触領域を有し、回転平面に広がる。第２帯は、上端部まで伸びている。当該第２帯は、下端から最も遠く離れている循環帯の位置から始まる。循環帯の内側の接触領域において、ピペットチップは、ピペット装置の取付け部分を封止して入り込む。ピペットチップを取り外すとき、ピペット装置のエジェクタは、ピペットチップの上端で第２帯を押す。第２帯によって取り外す力は、下端から最大限に遠く離れている循環帯の位置に伝達される。循環帯のこれらの位置は、このことにより下端の方へ多少押圧される。ピペットチップの管状体に直角に適応される平面に対し、循環帯は、いくらか押圧されて扁平になる。第２帯は、硬い領域を形成し、力の伝達時に比較的弱い変形だけを受ける。循環帯は、横方向に第２帯に適応するので、当該循環帯は、第２帯の方向に導かれる力によって比較的容易に変形することができる。結果として、循環帯はいくらか拡大し、循環帯または接触領域の内側と取付け部分のそれぞれの間の静止摩擦が、それに応じて減少する。したがって、取付けシャフトからピペットチップを分離するための必要な力は、減少させられる。さらに、ピペットチップは、循環帯の領域でより曲げやすい。その結果、取付け部分にピペットチップを接続する力も減少させられ、異なる寸法を有する取付けシャフトに接続するのに好都合である。
【００１１】
【特許文献１】米国出願公開公報ＵＳ ６，１９７，２５９Ｂ１
【特許文献２】米国出願公開公報ＵＳ ７，３３９，３７３Ｂ１
【特許文献３】欧州出願公開公報ＥＰ１ ５２０ ６２４ Ｂ１
【発明の開示】
【発明が解決しようとする課題】
【００１２】
上記各文献のピペットチップにおいて、ピペットチップおよび取付け部分の寸法のバリエーションは、ピペットチップの弾性拡張によって補償される。座部領域のピペットチップの内径が、標準サイズより大きく下回り、または、取付け部分の外径が、標準サイズを大きく超える場合のそれぞれについて、接続および取り外しの高い力が、結果として生じる。
【課題を解決するための手段】
【００１３】
この事情に鑑みて、本発明は、ピペット装置から取り外すための必要な力が減少するピペットチップを提供する課題に基づき、外径許容誤差は、当該取り外し力に対してほとんど影響しない。
【００１４】
この目的は、当該課題は、請求項１の特徴を有するピペットチップによって成し遂げられる。ピペットチップの有利な実施態様は、下位の請求項において示される。
【００１５】
本発明のピペットチップは、
液体通過用に下端の下部開口および上端に上部開口を有する細長い小管形状を有し、
前記上部開口に隣接する内周部に座部領域を有し、
当該座部領域は、ピペット装置の規格化された円錐取付け部分に接続するために利用され、
前記座部領域は、内側に向けて放射状に突き出ている軸方向に伸びる第１リブを備えた保持領域を有し、
当該保持領域の下方の封止領域は、取付け部分にピペットチップの保持および封止を確保する接続力によって座部領域にピペットチップが接続されるとき、第１リブが部分的に弾性変形し、かつ、当該弾性変形が、第１リブの外側の座部領域で生じるように構成されている。
【００１６】
本発明のピペットチップが、ピペット装置の規格化された円錐取付け部分に接続されたとき、軸方向第１リブの領域での表面圧力は、軸方向第１リブの可塑変形を生じさせる。さらに、ピペットチップは、弾性力のある第１リブの外側の座部領域で弾性力をもって変形する。接続力の一部は、第１リブの塑性変形のために消費され、当該接続力の他の一部は、弾性変形で蓄積される。その結果、ピペットチップは、付勢によって取付け部分に保持される。第１リブは、横方向にピペットチップを支持するので、当該ピペットチップは、横方向の力の影響を受けて振動しない。ピペットチップを取り外すために、弾性変形によって蓄積される力だけは、克服されなければならない。ピペットチップが取り外されるとき、第１リブの塑性変形に割り当てられる接続力の一部が、新たに蓄積される応力として克服される必要はない。取り外し力は、ピペットチップと取付け部分の間の弾性付勢によって生じている摩擦力を克服しなければならない。ピペットチップおよび取付け部分の外径の許容誤差は、第１リブの塑性変形によって補償され、従来のピペットチップの弾性変形に比べて座部領域の弾性変形に与える作用が少ない。取り外し力の外径許容誤差の影響は、これによって減少される。
【００１７】
したがって、取付け部分から本発明のピペットチップを取り外すためには、小さい取り外し力だけが費やされる。これは、エジェクタを有する手動式ピペットのユーザが親指によって当該取り外し力を作用させることにより開放される。ユーザは、前腕および手によって必要な取り外し力を容易に発揮することができる。同様に、モータ駆動エジェクタも本発明のピペットチップによって開放される。
【００１８】
座部領域の弾性変形は、封止領域内および／またはリブ間の保持領域内において起こり得ることがある。弾性変形は、封止領域、または、リブ間の領域に限定することができ、または、リブ間の領域内と同様に封止領域内において起こりうる。リブの塑性変形および座部領域の弾性変形は、座部領域の形状およびピペットチップの材料で決定される。リブの塑性変形は、特にリブ輪郭で決定される。リブの領域でのピペットチップの壁厚は、この領域の弾性変形の量を決定する。リブの領域での当該壁厚は、ピペットチップがしっかりとそこで機能する大きさとして選択されることができ、リブの塑性変形だけが生じる。封止領域の弾性ゴムまたは塑性変形は、特に、封止領域のピペットチップの壁厚によって決定されることができる。この場合、内部の封止領域で広がる封止ノーズの形状で決定される。
【００１９】
規格化された円錐取付け部分は、ピペットチップの寸法ごとに、特定の平均直径および特定の円錐角度によって決定される。これは、下表にまとめられる：
【００２０】
【表１】
0005775059.tif 000002
【００２１】
直径仕様の許容誤差は、＋／−０．０５  ｍｍおよび角度仕様の許容誤差は＋／−０.３°である。
【００２２】
一実施態様によれば、リブは、円周の上に一様に割り当てられる。座部領域のピペットチップの均一な変形および支持は、これによって好適にされる。
【００２３】
さらなる実施態様によれば、ピペットチップは、３〜１２個のリブ、好ましくは５〜７個の第１リブ、さらに好ましくは６個の第１リブを備えている。均一な支持は、これによって達成される。可塑変形可能なリブ形状を有する上述の第１リブ数は、容易に製造することができる。
【００２４】
さらなる実施態様によって、前記取付け部分でピペットチップの保持および封止を確保するための接続力によって、当該取付け部分にピペットチップが接続されたとき、リブは、取付け部分が占める位置に応じて、規格化された円錐取り付け部分と重なり合う外形を有し、その外形は、少なくとも０.１ｍｍ、好ましくは少なくとも０.２ｍｍおよび／または最も効果的には０.５ｍｍ、さらに最も好ましくはましくは０.３ｍｍである。この形状の重なりは、リブの部分的な塑性変形を支持する。
【００２５】
さらなる実施態様によれば、ピペットチップは、上部開口に隣接し、当該上部開口の内側で内向き放射状に突き出ている軸方向に伸びる第２リブを有し、当該第２リブは、２個の第１リブ間ごとに配置される。第２リブは、取付け部分でピペットチップの付加的なガイドとして機能することができ、ピペットチップが取付け部分に接続されるとき、当該第２リブは変形を受けない、または、第１リブよりも小さい変形をするだけである。好ましい実施形態によれば、取付け部分でピペットチップの保持および封止を確保するための接続力によって当該取付け部分にピペットチップを接続したとき、第２リブは、変形しない必要な大きさにされる。
【００２６】
さらなる実施態様によれば、第１リブおよび／または第２リブは、内向き放射状に先細りの輪郭を有する。輪郭の内端で軸方向リブの塑性変形は、これによって支持される。さらなる実施態様によれば、第１リブおよび／または第２リブは、三角形、台形または放物線の輪郭を有する。
【００２７】
好ましい実施態様によれば、ピペットチップは、外周に溝彫りを有し、当該溝彫りは、第１リブおよび／または第２リブに重なる。当該溝彫りは、例えば、リブ領域でピペットチップを固定し、または、ピペットチップに特性を与えるのに役立つ。溝彫りがピペットチップに特性を与えるのに役に立つという場合、第１リブおよび／または第２リブより上の溝彫りの配置が、透明なピペットチップの溝彫りの認知可能性を支持する。さもなければ、第１リブおよび／または第２リブは、溝彫りとして知覚されることができる。
【００２８】
さらなる実施態様によれば、ピペットチップは、リブが配置されておよび／または封止領域にある領域の上部開口に向けて円錐形に拡張する。ピペット装置の取付け部分の挿入は、これによって支持される。原則として、前述の領域は円錐形状に代えて円筒形状を有することができる。ただし、リブは塑性変形によって規格化された円錐取付け部分に適合され、封止領域に循環封止ノーズを存する。それによって、封止領域は取付け部分を圧迫する。
【００２９】
さらなる実施態様によれば、封止領域は、その内側の円周上で内向き環状に突き出ている封止ノーズを有する。封止ノーズは、例えば封止ビードまたはシールリップである。
【００３０】
さらなる実施態様によれば、ピペットチップは、リブが配置される領域を有し、壁厚は封止領域の壁厚よりも大きい。ピペットチップは、軸方向リブの領域ではより硬い。それによって、リブの塑性変形は支持される。
【００３１】
さらなる実施態様によれば、前記ピペットチップは、規格化された円錐取付け部分での接続を制限する手段を有する。接続する力が、取付け部分でピペットチップの保持および封止およびリブの可塑変形を確実に達成させるとき、当該手段は、取付け部分での接続を停止する。軸方向リブの可塑変形は、これを通じて適切な範囲に制限することができる。前記制限する手段は、接触によって形成され、当該手段は、ピペットチップの内周から内向きに突き出た１個または複数個の突起によって形成される。
【００３２】
さらなる実施態様によれば、接続を制限する手段は、下方の封止領域から上部開口に向けて円錐形に広がる制動領域である。規格化された円錐取付け部分の接続が実行されるとき、取付け部分の下端が制動領域に衝突し、取付け部分の挿入移動が、制動領域の円錐形状によって徐々に停止される。これによって、ユーザは従来の接触部材による負担をかけられない。また、従来の接触部材は、急激に接続移動を止める。
【００３３】
ピペットチップは、好ましくはプラスチック材料で形成される。さらに好ましくは、ピペットチップは、ポリオレフィン、好ましくはポリプロピレンまたはポリエチレンで形成されている。さらなる実施態様によれば、ピペットチップは、光透過可能であり、好ましくは透明である。さらに好ましくは、ピペットチップは、射出成形によって製造される。ピペットチップの内径および／または外径は、下部開口から上部開口に向けて増加することが好ましい。
【００３４】
以下に、本発明は、その実現可能な実施例を添付の図面を用いてさらに詳細に説明される。
【図面の簡単な説明】
【００３５】
【図１ａ】軸方向リブおよび環状封止ノーズを有するピペットチップの側面図である。
【図１ｂ】図１ａに示すピペットチップの縦断面図である。
【図１ｃ】図１ａに示すピペットチップの拡大底面図である。
【図１ｄ】図１ａに示すピペットチップの拡大平面図である。
【図１ｅ】図１ａに示すピペットチップの破断斜視図である。
【図２】図１のピペットチップが接続されるときの取付け部分とピペットチップの側面図である。
【図３】図１のピペットチップの封止領域に挿入された取付け部分の部分縦断面図である。
【図４】本発明のピペットチップ（ａ）と従来のピペットチップ（ｂ）の接続および取り外しの比較を示す図である。
【図５ａ】異なるサイズのピペットチップを接続するための規格化された円錐取り付け部分の平均直径および円錐角度を示す。
【図５ｂ】異なるサイズのピペットチップを接続するための規格化された円錐取り付け部分の平均直径および円錐角度を示す。
【発明を実施するための形態】
【００３６】
本出願において、ピペットを扱うときのピペットチップの方向に基づき「上」および「下」と呼称する。つまり、ピペットチップが垂直な正しい位置に置かれ、下部開口が下側に位置するとともに、上部開口が上側に位置する。
【００３７】
異なる実現可能な実施例の以下の説明において、一致する特徴は、同一参照符号によって示される。
【００３８】
図１によれば、ピペットチップ１は、細長い管状体２を備えている。当該ピペットチップ１は、下端３に下部開口４を有し、上端５に接続用の上部開口６を有する。下部開口４は、上部開口６より小さい。
【００３９】
管状体２の内径および／または外径は、下部開口４から上部開口６に向かうにつれて大きくなっている。この実施例では、管状体２は、下側に円錐形の先端部分７と、当該先端部より傾斜の小さな円錐中央部分８および当該中央部分より上にヘッド部分９を有する。本発明のピペットチップ１は、特に、部分的または連続的に下部開口４から上部開口６に向けて広がっていてもよい。
【００４０】
上部開口６に直接に隣接するヘッド部分９は、拡大された直径の挿入領域１０を有する。当該挿入領域１０は、ヘッド部分９の短い部分のみを通じてのびている。挿入領域１０の下側は、保持領域１１と繋がっており、当該保持領域１１でリブ１２、１３が、ヘッド部分９の内周から内向きに突出している。それらは、軸方向に延伸する第１リブ１２を有し、当該第１リブ１２は、第２リブ１３よりも内向きに長く突き出ている。つまり、軸方向に延伸する第２リブ１３は、内向き第１リブ１２よりも突き出ていない。図１ｄおよび図１ｅにおいて、１本の第１リブ１２は、第２リブ１３よりも遠くにピペットチップ１の内周から突き出していることを認識できる。１個の第２リブ１３は、２個の第１リブ１２の間に常に配置される。
【００４１】
上部で、第１リブ１２および第２リブ１３は、挿入領域１０に続いて各々短面取り１４、１５を有する。
【００４２】
その上部で、ヘッド部分９は、外向きに突き出すシリンダ域１６を有する。シリンダ領域１６は、その下側で外側ステップ１７によって規制される。その内部で、ヘッド領域は、内側ステップ１８を有する。第１リブ１２および第２リブ１３は、内側ステップ１８を交差して伸びる。その下側で、それらは、封止領域１９に達している。そこで、ビード形状の環状封止ノーズ２０は、内部でヘッド部分９の外周から突き出ている。第１リブ１２および第２リブ１３は、封止ノーズ２０まで伸びている。第２リブ１３は、内側ステップ１８の領域にジャンプ位置２１を有する。
【００４３】
第１リブ１２および第２リブ１３は、内側ステップ１８より上の領域に第１および第２放物線形状の輪郭２２、２３を有する。当該輪郭は、その領域で第１および第２扁平部分２４、２５を有し、内向きに最も遠くて突き出している。放射線形状の輪郭は、先ず最大幅の位置２６、２７まで上から下に向けて広がり、当該位置２６、２７から内側ステップ１８まで再びより狭くなる。
【００４４】
さらに、ヘッド部分９は、外側でシリンダ領域１６の外周で表面上に突き出ている水滴形状の溝彫り２８を有する。内側ステップ１８より上で、溝彫り２８の端縁は、第１リブ１２の端縁および第２リブ１３の端縁と重なっている。
【００４５】
封止ノーズ２０の下部で、円錐制動領域２９は、封止領域１９に接合しており、下方および上方のそれぞれにおいて、下方へと先細りになり、上方へと広がっている。
【００４６】
第１および第２リブ１２、１３において、ヘッド部分９は、封止領域１９と同様に、内側ステップ１８より上側および内側ステップ１８より下側で僅かに円錐形状である。制動領域２９において、その形状は、ヘッド部分９よりも鋭角な円錐形状になっている。
【００４７】
第２リブ１３、封止領域１９および制動領域２９の両領域は、「座部領域３０」としてまとめられる。
【００４８】
制動領域２９の下方で、中央部分８は、管状体２を制限する。
【００４９】
図２によれば、手動式ピペット３１は、ハンドグリップ形のハウジング３２を備えている。ハウジング３２は、空気を変位させるための変位要素３３を含み、当該変位装置３３は、作動させられる作動部材３６が配置されるとともに、さらなる作動部材３６に連動するエジェクタ３５も同様に配置される。下側で、規格化された円錐取付け部分３７は、ハウジング３２の下側に配置されている。
【００５０】
ピペットチップ１は、取付け部分３７を塞ぐことができる。
【００５１】
図３によれば、ピペットチップ１が、座部領域３０で規格化された円錐取り付け部分３７を塞ぐとき、部分的に可塑的に変形する。これは、図３に示す取付け部分３７および第１リブ１２の外形が重なる領域にある場合である。ピペットチップ１の壁は、第１リブ１２と第２リブ１３の間でわずかに弾性変形する。封止ノーズ２０において、封止ノーズ２０および取付け部分３７の外形が互いに重なる示された位置に対して、ピペットチップ１の壁が外向きにいくらか歪むように座部領域３０が弾性変形させられ、封止ノーズ２０および取付け部分３７の外形が互いに重なる。
【００５２】
制動領域２９は、取付け部分３７（図３の左側）の下端３８で可塑的に変形する。これは、下部取付け部分の端部３８および制動領域２９の外形が重なり合う場合である。
【００５３】
図４ａによれば、接続する力の一部は、ピペットチップ１の塑性変形のために必要とされる。接続する力の他の一部は、ピペットチップ１の変形の弾力性のある部分に割り当てられる。したがって、接続する力の一部は、ピペットチップ１の塑性変形のために、不可逆的に消費される。取付け部分からピペットチップ１を取り外すために必要な力は、ピペットチップ１を弾性変形させるために割り当てられる接続する力の一部を克服するだけである。
【００５４】
したがって、本発明のピペットチップ１の利用にあたり、取り外す力は、従来のピペットチップ１よりも小さく、接続する力によって弾性変形させるだけである。従来のピペットチップにおいて、接続する力および取り外す力は、一致する。これは、図４ｂに示されている。
【００５５】
図５は、あるシリンジサイズを有するピペットチップ１に対して上側の規格化された円錐取付け部分３７の平均直径および円錐角度のそれぞれを示す。平均直径は、ミリメートルおよび円錐角度を度で示される。ピペットチップサイズの程度として、ピペットチップ１が満たすことのできる充填量のそれぞれの範囲が、マイクロミリリットルおよびミリリットルでそれぞれ示される。取付け部分３７の平均直径は、取付け部分３７の下端のおよび上端の間の直径に対応する。それは、取付け部分の下端および上端の間に中央に必ずしも配置されている直径によって厳格に分配される必要はない。しかしながら、平均直径は、取付け部分の下端および上端の間の中央に正確に収めることもできる。
【００５６】
さらに、平均直径（＋／−０.０５ｍｍ）および角度表示（＋／−０.３°）の許容誤差は、図５において示される。取付け部分３７は、対応する許容誤差で製造される。
【符号の説明】
【００５７】
１  …  ピペットチップ
２  …  管状体
３  …  下端
４  …  下部開口
５  …  上端
６  …  上部開口
７  …  円錐先端部分
８  …  円錐中央部分
９  …  ヘッド部分
１０  …  挿入領域
１１  …  保持領域
１２  …  軸方向第１リブ
１３  …  軸方向第２リブ
１４  …  第１短面取り
１５  …  第２短面取り
１６  …  シリンダ領域
１７  …  外側ステップ
１８  …  内側ステップ
１９  …  封止領域
２０  …  封止ノーズ
２１  …  ジャンプ位置
２２  …  第１放物形状
２３  …  第２放物形状
２４  …  第１扁平部分
２５  …  第２扁平部分
２６  …  最大幅の位置
２７  …  最大幅の位置
２８  …  水滴形状の溝彫り
２９  …  円錐制動領域
３０  …  座部領域
３１  …  手動式ピペット
３２  …  ハウジング
３３  …  排出要素
３４  …  作動部材
３５  …  エジェクタ
３６  …  第２作動部材
３７  …  円錐取付け部分
３８  …  取付け部分下端
【図１ａ】
0005775059.tif 000003
【図１ｂ】
0005775059.tif 000004
【図１ｃ】
0005775059.tif 000005
【図１ｄ】
0005775059.tif 000006
【図１ｅ】
0005775059.tif 000007
【図２】
0005775059.tif 000008
【図３】
0005775059.tif 000009
【図４】
0005775059.tif 000010
【図５ａ】
0005775059.tif 000011
【図５ｂ】
0005775059.tif 000012